(57)【特許請求の範囲】
【請求項１】
外気温を検出する検出手段の検出結果を取得する取得手段と、
エバポレータ及び及び該エバポレータへ送風するブロアファンを具備しかつエンジンを駆動源として作動して冷媒を圧縮するコンプレッサを備えた空調手段によって車室内が空調されているときのエンジン停止からブロアファンを停止させるまでのブロアファン作動時間を、前記外気温が高くなるのに従って長くなる前記外気温に対応する所定時間として前記取得手段の取得結果から算出する算出手段と、
前記空調手段によって車室内が空調されているときに、車両の運転状態に応じてエンジンの始動及び停止を制御するエンジン制御手段によってエンジンが停止されてから、前記算出手段によって算出された前記ブロアファン作動時間を経過したときに、ブロアファンが停止するように制御すると共に、エバポレータの温度を検知する検知手段の検知結果が前記外気温に対応する露点温度になる時間まで前記ブロアファンが作動するように制御する制御手段と、
を備えた車両用空調制御装置。
【請求項２】
前記算出手段は、前記検出手段の検出結果に対応する前記ブロアファン作動時間を、外気温に応じてブロアファン停止時間を予め定めたマップから算出することを特徴とする請求項１に記載の車両用空調制御装置。
【請求項３】
前記制御手段は、前記エンジン停止からブロアファンを停止させるまでのブロアファン作動時間内に、前記ブロアファンの風力が抑制されるように前記ブロアファンの作動を制御することを特徴とする請求項１または請求項２に記載の車両用空調制御装置。
【請求項４】
前記制御手段は、前記外気温と前記ブロアファン作動時間とに基づいて、予め求められている前記エバポレータの温度上昇率及び温度特性の少なくとも一方から推定される前記エバポレータの推定温度を、前記検知手段の検知結果として用いる、請求項１〜請求項３の何れか１項に記載の車両用空調制御装置。
【請求項５】
前記制御手段は、エンジン停止から前記エバポレータ周辺の温度が露点温度になるまでのエンジン停止時間より所定時間だけ短い時間になるように、前記ブロアファン作動時間を算出する、請求項４に記載の車両用空調制御装置。
【請求項６】
前記制御手段は、所定外気温範囲内のときに前記ブロアファンが停止するように制御することを特徴とする請求項１〜請求項５の何れか１項に記載の車両用空調制御装置。
【請求項７】
前記算出手段は、前記外気温及び前記ブロアファンの作動時間に基づいてエンジン停止から前記エバポレータ周辺の温度が露点温度になるまでのエンジン停止時間を算出し、前記制御手段は、前記算出手段によって算出された前記エンジン停止時間が経過した場合に、エンジンを始動するように前記エンジン制御手段を制御する、請求項１〜請求項６の何れか１項に記載の車両用空調制御装置。
【請求項８】
外気温を検出する検出手段の検出結果を取得する取得工程と、
エバポレータ及び該エバポレータへ送風するブロアファンを具備しかつエンジンを駆動源として作動して冷媒を圧縮するコンプレッサを備えた空調手段によって車室内が空調されているときのエンジン停止からブロアファンを停止させるまでのブロアファン作動時間を、前記外気温が高くなるのに従って長くなる前記外気温に対応する所定時間として前記取得工程の取得結果から算出する算出工程と、
前記空調手段によって車室内が空調されているときに、車両の運転状態に応じてエンジンの始動及び停止を制御するエンジン制御手段によってエンジンが停止されてから、前記算出工程によって算出された前記ブロアファンの作動時間を経過したときに、ブロアファンが停止するように制御すると共に、エバポレータの温度を検知する検知手段の検知結果が前記外気温に対応する露点温度になる時間まで前記ブロアファンが作動するように制御する制御工程と、
を含む車両用空調制御方法。
【請求項９】
コンピュータを、請求項１〜５の何れか１項に記載の車両用空調制御装置の各手段として機能させるための車両用空調制御プログラム。
【発明の詳細な説明】
【技術分野】
【０００１】
本発明は、車両用空調制御装置、車両用空調制御方法、及び車両用空調制御プログラムにかかり、特に、モータで走行するハイブリッド自動車や、停車時にエンジン停止する自動車等の車両に搭載された車両用空調装置を制御する車両用空調制御装置、車両用空調制御方法、及び車両用空調制御プログラムに関する。
【背景技術】
【０００２】
車両が停車した際に、アイドリングによる不要な排気ガス排出や燃料消費を抑えるためにエンジンを停止する技術が知られている。
【０００３】
このような技術では、車室内を空調（例えば冷房）するためにコンプレッサ及びブロアファンがオンされているときにエンジンが停止されると、エンジンによって駆動されるコンプレッサは、オフとなり空調冷媒の圧縮循環が行われなくなる。空調冷媒の圧縮循環が行われなくなると、エバポレータ表面の液体の蒸発やエバポレータ表面の湿った空気の吹き出しにより発臭したりウインドシールドガラス等に曇りが発生したりする。
【０００４】
特許文献１では、エンジン停止中に蒸発器の凝縮水が乾く温度を監視して、凝縮水が乾く前にエンジン始動による圧縮機を作動させて不快な臭いを抑制する技術が提案されている。具体的には、圧縮機停止時に蒸発器吹出温度が高温側へ上昇する過程で、蒸発器表面の凝縮水が乾ききる直前に生じる、蒸発器吹出温度の一時的な温度低下を判定し、圧縮機を再起動させている。
【先行技術文献】
【特許文献】
【０００５】
【特許文献１】特開２００１−１３０２４７号公報
【発明の概要】
【発明が解決しようとする課題】
【０００６】
しかしながら、特許文献１に記載の技術では、ブロアファンの作動による送風が継続されていると、蒸発器表面の凝縮水はブロアファンが作動していない場合に比べて早期に乾燥する。このため、車両が停車しているときにエンジン停止させても、そのエンジン停止時間を短縮して早期に圧縮機を再起動させることが必要な場合がある。
【０００７】
本発明は、上記事実を考慮して成されたもので、簡素な構成で車室内環境を向上させつつ省動力化させることができる車両用空調制御装置、車両用空調制御方法、及び車両用空調制御プログラムを提供することを目的とする。
【課題を解決するための手段】
【０００８】
上記目的を達成するために請求項１に記載の車両用空調制御装置は、外気温を検出する検出手段の検出結果を取得する取得手段と、エバポレータ及び該エバポレータへ送風するブロアファンを具備しかつエンジンを駆動源として作動して冷媒を圧縮するコンプレッサを備えた空調手段によって車室内が空調されているときのエンジン停止からブロアファンを停止させるまでのブロアファン作動時間を、前記外気温が高くなるのに従って長くなる前記外気温に対応する所定時間として前記取得手段の取得結果から算出する算出手段と、前記空調手段によって車室内が空調されているときに、車両の運転状態に応じてエンジンの始動及び停止を制御するエンジン制御手段によってエンジンが停止されてから、前記算出手段によって算出された前記ブロアファン作動時間を経過したときに、ブロアファンが停止するように制御すると共に、エバポレータの温度を検知する検知手段の検知結果が前記外気温に対応する露点温度になる時間まで前記ブロアファンが作動するように制御する制御手段と、を備えている。
【０００９】
本発明によれば、取得手段では、検出手段によって検出された外気温が取得され、空調手段では、エンジンを駆動源として作動するコンプレッサを備えて、コンプレッサによって圧縮される冷媒を用いて車室内が空調される。
【００１０】
算出手段では、空調手段によって車室内が空調されているときのエンジン停止からブロアファンを停止させるまでのブロアファン作動時間を、外気温が高くなるのに従って長くなる外気温に対応する所定時間として取得手段の取得結果から算出される。例えば、外気温を変数とした予め定めた関数を用いて外気温からブロアファン作動時間を算出することができる。この外気温に対応する所定時間は、エバポレータ周辺の液体蒸発による発臭やガラスの曇りの発生が生じるまでの時間より短い時間が外気温に対応して予め定められている。また、算出手段は、請求項２に記載の発明のように、外気温に応じてブロアファン停止時間を予め定めたマップから算出するようにしてもよい。これによってブロアファン作動時間を容易に算出することができる。
【００１１】
また、エンジン制御手段では、車両の運転状態に応じてエンジンの始動及び停止が制御される。エンジン制御手段は、例えば、車両が停車してサイドブレーキ等が操作された場合に、エンジンを停止し、その後サイドブレーキが解除された場合に、エンジンを自動的に始動する等の制御を行う。
【００１２】
制御手段では、車室内が空調されているときに、エンジン制御手段によってエンジンが停止され、ブロアファンの作動が継続されているとき、算出手段によって算出されたブロアファン作動時間が経過した場合に、ブロアファンが停止するように制御される。
【００１３】
このように、外気温の検出結果から発臭やガラスの曇りが発生するまでのブロアファン作動時間を算出して、ブロアファン作動時間が経過した場合にブロアファンが停止するように制御するので、エバポレータ周辺の早期の液体蒸発を阻止でき、発臭やガラスの曇りが発生することがなくなる。すなわち、エンジン停止から所定時間のブロアファン作動により車室内環境が向上され、所定時間後にブロアファンが停止されることによりエンジン停止からエンジン始動するまでのエンジン停止時間を延長させることができる。これによって、車室内環境を向上させつつ省動力化させ、つまりエンジン停止時間を延長させるようにエンジンの始動及び停止を制御することができる。
【００１４】
請求項３に記載の発明は、前記車両用空調制御装置において、前記制御手段が、前記エンジン停止からブロアファンを停止させるまでのブロアファン作動時間内に、前記ブロアファンの風力が抑制されるように前記ブロアファンの作動を制御することを特徴とする。
【００１５】
ブロアファンの作動が継続されているとき、所定時間後にブロアファンを停止することは、エバポレータ周辺の早期の液体蒸発を阻止できる。この停止までのブロアファンが作動しているときは、空調手段により車室内が空調されている時間が延長されることに相当し、車室内の快適性が確保されている。しかし、コンプレッサ稼働による空調手段の車室内空調と同様の状態でブロアファンが作動されているので、エバポレータ周辺の液体蒸発までの時間が短縮される。そこで、ブロアファン作動時間内に、ブロアファンの風力が抑制されるようにブロアファンの作動を制御する例えばブロアダウンするようにすれば、車室内環境を向上させつつエンジン停止時間を延長させることができる。
【００１６】
また、前記車両用空調制御装置において、前記制御手段は、エバポレータの温度を検知する検知手段の検知結果が前記外気温に対応する露点温度になる時間まで前記ブロアファンが作動するように制御することができる。
【００１７】
エバポレータ周辺の液体蒸発による発臭やガラスの曇りの発生が生じることの要因は、エバポレータの温度が考えられる。そこで、エバポレータの温度を検知する検知手段の検知結果を入手して、その検知結果が外気温に対応する露点温度になる時間までブロアファンが作動するように制御すれば、発臭やガラスの曇りに起因する温度関係から、ブロアファンを停止する最適な時間を求めることができる。このため、現在環境に応じて、車室内環境を向上させつつエンジン停止時間を延長させることができる。
【００１８】
なお、エバポレータの温度は、直接計測してもよく、計算により推定してもよい。請求項４にも記載したように、前記制御手段は、前記外気温と前記ブロアファン作動時間とに基づいて、予め求められている前記エバポレータの温度上昇率及び温度特性の少なくとも一方から推定される前記エバポレータの推定温度を、前記検知手段の検知結果として用いることができる。また、請求項５にも記載したように、前記制御手段は、エンジン停止から前記エバポレータ周辺の温度が露点温度になるまでのエンジン停止時間より所定時間だけ短い時間になるように、前記ブロアファン作動時間を算出することができる。例えば、エバポレータ温度の推定は、外気温及びブロアファンの作動時間に基づいて、予め求められている温度上昇率や温度特性から算出することができる。また、前記ブロアファン作動時間は、エンジン停止から前記エバポレータ周辺の温度が露点温度になるまで（例えばガラスの曇りが発生するまで）のエンジン停止時間より所定時間だけ短い時間になるように、前記取得手段の取得結果から算出することができる。つまり、エンジン停止から前記エバポレータ周辺の温度が露点温度になるまでのエンジン停止時間は、外気温により変動する。そこで、そのエンジン停止時間より所定時間だけ短い時間だけ短くなる時間でブロアファンを停止すれば、外気温に応じて安定的にブロアファンを停止でき、外気温に応じて、車室内環境を向上させつつエンジン停止時間を延長させることができる。
【００１９】
請求項６に記載の発明は、前記車両用空調制御装置において、前記制御手段は、所定外気温範囲内のときに前記ブロアファンが停止するように制御することを特徴とする。
【００２０】
単にエバポレータ周辺の液体蒸発阻止のためにブロアファンを停止することは、車室内の快適性に影響する場合がある。例えば、ブロアファンを停止した場合に、車室内の快適性に影響が少ない温度範囲を経験的に得るまたは実験的に求めることができる。、そこで、制御手段は、所定外気温範囲内のときに前記ブロアファンが停止するように制御するようにすれば、車室内の快適性への影響を抑えることができる。
【００２１】
なお、請求項７に記載したように、前記算出手段では、前記外気温及び前記ブロアファンの作動時間に基づいてエンジン停止から前記エバポレータ周辺の温度が露点温度になる（例えば発臭やガラスの曇りが発生する）までのエンジン停止時間を算出し、前記制御手段は、前記算出手段によって算出された前記エンジン停止時間が経過した場合に、エンジンを始動するように前記エンジン制御手段を制御するようにしてもよい。このようにすることにより、外気温の検出結果から発臭やガラスの曇りが発生するまでのエンジン停止時間を算出して、エンジン停止時間が経過した場合にエンジンを始動するように制御するので、発臭やガラスの曇りが発生することがなくなる。すなわち、外気温の検出のみの簡素な構成で車室内環境を向上させつつエンジンの始動及び停止を制御することができる。
【００２２】
請求項８に記載の発明の車両用空調制御方法は、外気温を検出する検出手段の検出結果を取得する取得工程と、エバポレータ及び該エバポレータへ送風するブロアファンを具備しかつエンジンを駆動源として作動して冷媒を圧縮するコンプレッサを備えた空調手段によって車室内が空調されているときのエンジン停止からブロアファンを停止させるまでのブロアファン作動時間を、前記外気温が高くなるのに従って長くなる前記外気温に対応する所定時間として前記取得工程の取得結果から算出する算出工程と、前記空調手段によって車室内が空調されているときに、車両の運転状態に応じてエンジンの始動及び停止を制御するエンジン制御手段によってエンジンが停止されてから、前記算出工程によって算出された前記ブロアファンの作動時間を経過したときに、ブロアファンが停止するように制御すると共に、エバポレータの温度を検知する検知手段の検知結果が前記外気温に対応する露点温度になる時間まで前記ブロアファンが作動するように制御する制御工程と、を含む。
【００２３】
請求項８に記載の発明によれば、外気温の検出結果から発臭やガラスの曇りが発生するまでのブロアファン作動時間を算出して、ブロアファン作動時間が経過した場合にブロアファンが停止するように制御するので、エバポレータ周辺の早期の液体蒸発を阻止でき、発臭やガラスの曇りが発生することがなくなる。すなわち、エンジン停止から所定時間のブロアファン作動により車室内環境が向上され、所定時間後にブロアファンが停止されることによりエンジン停止からエンジン始動するまでのエンジン停止時間を延長させることができる。これによって、車室内環境を向上させつつ省動力化させ、つまりエンジン停止時間を延長させるようにエンジンの始動及び停止を制御することができる。
【００２４】
なお、請求項９に記載の発明のように、コンピュータを請求項１〜請求項７の何れか１項に記載の車両用空調制御装置の各手段として機能させる車両用空調制御プログラムとしてもよい。該車両用空調制御プログラムは、記憶媒体に記憶して流通可能なようにしてもよい。
【発明の効果】
【００２５】
以上説明したように本発明によれば、外気温の検出結果から発臭やガラスの曇りが発生するまでのブロアファン作動時間を算出して、ブロアファン作動時間が経過した場合にブロアファンが停止するように制御するので、エバポレータ周辺の早期の液体蒸発を阻止でき、車室内環境を向上させつつ省動力化させることができる、という効果がある。
【図面の簡単な説明】
【００２６】
【図１】本発明の第１実施形態に係る車両用空調装置の概略構成を示すブロック図である。
【図２】エコラン中におけるエンジン始動までの時間／ブロアファンの作動時間と外気温との相関関係を示す特性マップである。
【図３】任意の外気温における時間経過に対するエバポレータの温度特性を示す線図である。
【図４】本発明の第１実施形態に係る車両用空調装置のエアコンＥＣＵで実行される処理の流れの一例を示すフローチャートである。
【図５】市街地等における信号停車時間に対する発生割合の関係を示した特性図である。
【図６】本発明の第２実施形態に係る省動力化優先モードでの任意の外気温における時間経過に対するエバポレータの温度特性を示す線図である。
【図７】本発明の第３実施形態に係る抑制された風力によるブロアファン作動での任意の外気温における時間経過に対するエバポレータの温度特性を示す線図である。
【発明を実施するための形態】
【００２７】
以下、図面を参照して本発明の実施の形態の一例を詳細に説明する。本実施形態は、エンジン等の内燃機関の動力で走行する車両や、エンジンとモータを備えたハイブリッド車両等に搭載される車両用空調装置に、本発明を適用したものである。
【００２８】
（第１実施形態）
図１は、本発明の第１実施形態に係わる車両用空調装置１０の概略構成を示すブロック図である。本実施形態は、車室内を空調している際に、車室内環境を向上させつつ省動力化させるために、エンジン停止要求が行われてエンジンが停止される所謂エコラン中に、エバポレータへ送風するブロアファンの駆動を制御するものである。
【００２９】
車両用空調装置１０は、コンプレッサ１４、コンデンサ１６、エキスパンションバルブ１８、及びエバポレータ２０を含む冷媒の循環路によって冷凍サイクルが構成されている。エバポレータ２０は、圧縮されて液化している冷媒を気化することにより、このエバポレータ２０を通過する空気（以下、エバポレータ後の空気という）を冷却する。この時、エバポレータ２０では、通過する空気を冷却することにより、空気中の水分を結露させるようになっており、これにより、エバポレータ２０後の空気が除湿される。エバポレータ２０の上流側に設けられているエキスパンションバルブ１８は、液化している冷媒を急激に減圧することにより、冷媒を霧状にしてエバポレータへ供給するようになっており、これによってエバポレータ２０での冷媒の気化効率を向上させている。
【００３０】
本実施形態では、車両用空調装置１０のコンプレッサ１４は、車両の動力を使用して機械的に駆動するコンプレッサによって冷媒を圧縮して冷媒サイクルを循環させる。
【００３１】
車両用空調装置１０のエバポレータ２０は、空調ダクト３８の内部に設けられている。この空調ダクト３８は、両端が開口しており、一方の開口端には、空気取入口４０、４２が形成されている。また他方の開口端には、車室内へ向けて開口された複数の空気吹出口４４（本実施の形態では一例として４４Ａ、４４Ｂ、４４Ｃを示す。）が形成されている。空気取入口４２は、車両外部と連通し、空調ダクト３８内に外気を導入可能となっている。また、空気取入口４０は、車室内と連通しており車室内の空気（内気）を空調ダクト３８内に導入可能となっている。なお、空気吹出し口４４は、一例としてウインドシールドガラスへ向けて空気を吹き出すデフロスタ吹出し口４４Ａ、サイド及びセンタレジスタ吹出し口４４Ｂ、足下吹出し口４４Ｃとなっている。
【００３２】
空調ダクト３８内には、エバポレータ２０と空気取入口４０、４２との間にブロアファン４６が設けられている。また、空気取入口４０、４２の近傍には、モード切換ダンパ４８が設けられている。モード切換ダンパ４８は、モード切換ダンパ用モータ２４等のアクチュエータの作動によって、空気取入口４０、４２の開閉を行う。
【００３３】
ブロアファン４６は、ブロアモータ２２の駆動によって回転して、空気取入口４０乃至空気取入口４２から空調ダクト３８内に吸引し、この空気をエバポレータ２０へ向けて送出する。この時、モード切換ダンパ４８による空気取入口４０、４２の開閉状態に応じて、空調ダクト３８内に外気又は内気が導入されるようになっている。すなわち、モード切換ダンパ４８によって内気循環モードと外気導入モードが切換えられる。
【００３４】
エバポレータ２０の下流には、エアミックスダンパ５０及びヒータコア５２が設けられている。エアミックスダンパ５０は、エアミックスダンパ用モータ３６の駆動によって回動してエバポレータ２０後の空気の、ヒータコア５２を通過する量とヒータコア５２をバイパスする量を調整する。ヒータコア５２は、エンジン冷却水が循環し、エアミックスダンパ５０によって案内された空気を加熱する。
【００３５】
エバポレータ２０後の空気は、エアミックスダンパ５０の開度に応じてヒータコア５２へ案内されて加熱され、さらに、ヒータコア５２によって加熱されていない空気と混合された後に、空気吹出し口４４へ向けて送出される。車両用空調装置１０では、エアミックスダンパ５０をコントロールしてヒータコア５２により加熱される空気の量を調節することで、空気吹出し口４４から車室内へ向けて吹き出す空気の温度調整を行う。
【００３６】
各空気吹出し口４４の近傍には、それぞれに対応して吹出し口切換ダンパ５４が設けられている。車両用空調装置１０では、これらの吹出し口切換ダンパ５４によって空気吹出し口４４Ａ、４４Ｂ、４４Ｃを開閉することにより、温度調整した空気を所望の位置から車室内へ吹き出すことができる。
【００３７】
また、車両用空調装置１０は、車両用空調装置１０の各種制御を行うためのエアコンＥＣＵ（Electronic Control Unit）１１を備えている。エアコンＥＣＵ１１には、コンプレッサ１４、ブロアモータ２２、モード切換ダンパ用モータ２４、エアミックスダンパ用モータ３６、吹出し口切換ダンパ用モータ３４、外気温センサ３２、及び内気温センサ３０が接続されている。これと共に、エアコンＥＣＵ１１には、車両用空調装置１０の温度設定や吹出し口の選択等の車両用空調装置１０の各種操作を行うための操作部１５が接続されており、外気温センサ３２、及び内気温センサ３０の検出値がエアコンＥＣＵ１１に入力され、各センサの検出結果に基づいて操作部１５の設定等に応じて車室内の空調制御を行うようになっている。エアコンＥＣＵ１１に接続可能な他のセンサの一例としては、車両に対する光照射状態により天候等を検出する日射センサがある。
【００３８】
さらに、エアコンＥＣＵ１１には、エコランＥＣＵ（Electronic Control Unit）１７を介してエンジンＥＣＵ１２が接続されており、エアコンＥＣＵ１１からエコランＥＣＵ１７を介してエンジンＥＣＵ１２に対してエンジン始動要求や停止要求等を行うことが可能に構成されている。なお、本実施形態では、エコランＥＣＵ１７を備える構成として説明するが、エコランＥＣＵ１７を省略して、エアコンＥＣＵ１１にエンジンＥＣＵを直接接続するようにしてもよい。
【００３９】
さらにまた、エアコンＥＣＵ１１には、メモリ２９が接続されている。このメモリ２９には、詳細を後述するマップや設定値等が格納されるように構成されている。なお、本実施形態では、メモリ２９を備える構成として説明するが、メモリ２９と同等の機能を有するようにエアコンＥＣＵ１１を構成するようにしてもよい。
【００４０】
エコランＥＣＵ１７は、車両の走行状態に応じて、エンジンＥＣＵ１２に対してエンジン停止要求やエンジン始動要求等を行うことにより、不要な排気ガスや燃料消費を抑制する制御を行う。例えば、車両が停車してサイドブレーキ等が操作された場合に、エンジン停止要求をエンジンＥＣＵ１２に対して行うことによってアイドリングをストップさせ、その後サイドブレーキが解除された場合に、エンジン始動要求をエンジンＥＣＵ１２に対して行うことによってエンジンを自動的に始動する等の制御を行う。また、本実施形態では、エアコンＥＣＵ１１からの要求に応じたエンジン停止要求や始動要求等の要求をエンジンＥＣＵ１２に出力するようになっている。
【００４１】
エアコンＥＣＵ１１が行う各種制御の一例としては、例えば、イグニッションスイッチがオンの際に、各センサの検出結果及び操作部１５の設定内容に基づいて目標吹出し温度を算出して目標吹出し温度になるように空調制御を行う。また、エアコンＥＣＵ１１は空調制御を行う際には、目標吹出し温度等に応じて、コンプレッサ１４のオンオフ制御や、エアミックスダンパ用モータ３６の駆動制御、空気吹出し口４４の切換制御、空気取入口４０、４２の切換制御（内気循環モードや外気導入モードのモード切換制御）等の制御もを行う。
【００４２】
なお、空気取入口４０、４２の切換制御は、乗員が操作部１５を操作して手動で行うようにしてもよい。
【００４３】
ここで、本実施形態では、上記のように不要な排気ガスや燃料消費を抑制するために、エコランＥＣＵ１７は、エンジン停止や始動の制御をする。この場合、コンプレッサ１４をオンして車室内を空調している際に、エコランＥＣＵ１７によってエンジン停止要求が行われてエンジンが停止（以下、エコランという。）されると、コンプレッサ１４による冷媒の圧縮循環が停止して、エバポレータ２０の温度が上昇する。これによって、エバポレータ周辺、例えばエバポレータ２０表面に付着した液体が蒸発することにより発臭したりガラスに曇りが発生したりすることがある。一例としては、エバポレータ２０表面に付着した液体の蒸発により、その液体に含まれる臭い成分を含んだ空気（臭気）が空気吹出し口４４から吹き出され、発臭することがある。また、空気吹出し口４４から吹き出される空気の露点温度がガラスの露点温度を超えるとガラスに曇りが発生することがある。
【００４４】
そこで、本実施形態では、エアコンＥＣＵ１１が、外気温センサ３２の検出結果からエバポレータ２０周辺の液体蒸発による発臭やガラスの曇りの発生が生じるまでの時間より短い時間を算出し、その所定時間になるまでブロアファン４６の作動を継続させ、その所定時間を経過すると、ブロアファンを停止させるようになっている。このブロアファン４６の停止によって、エバポレータ２０周辺の早期の液体蒸発を阻止でき、発臭やガラスの曇りが発生することがなくなる。また、エンジン停止から所定時間のブロアファン４６を作動させることにより空調制御が継続されて車室内環境の快適性が向上される。さらに、所定時間後にブロアファン４６が停止されることにより、エバポレータ２０周辺の温度上昇を抑制できる。これにより、エバポレータ２０周辺の液体蒸発による発臭やガラスの曇りの発生が生じるまでの温度へ到達するまでの時間を延長することができ、エンジン停止からエンジン始動するまでのエンジン停止時間を延長させることができる。
【００４５】
本実施形態では、エバポレータ２０周辺の液体蒸発による発臭やガラスの曇りの発生を阻止するために、エンジン停止からエンジン始動するまでの間に、ブロアファン４６の作動を停止させる。
【００４６】
図２に示す、メモリ２９に記憶された、エコラン中におけるエンジンオン（エンジン始動）までの時間／ブロアファン４６の作動時間と外気温との相関関係を示す特性マップ（以下、エコランマップという。）に基づいて、エアコンＥＣＵ１１が、外気温に応じてブロアファンを所定時間作動させつつエコランが可能な時間をタイマとして設定し、そのエコラン可能時間経過後にエンジン始動要求を行う。
【００４７】
まず、エンジン停止からブロアファン４６の作動を継続させたとき、発臭や曇りが発生するまでの時間、すなわちエンジンオンするまでの時間を、エコランが可能な時間ＴＡ（エンジンオン閾値）として、外気温が高くなるのに従って時間が長くなるように予め定めた相関特性６０が、メモリ２９に記憶されている。この相関特性６０により、外気温に応じてエコランが可能な時間ＴＡ（エンジンオン閾値）を求めることができる。
【００４８】
ここで、本実施形態では、エバポレータ２０周辺の液体蒸発による発臭やガラスの曇りの早期発生を阻止するために、エンジン停止からエンジン始動するまでの間に、ブロアファン４６の作動を停止させる。このようなブロアファン４６の作動を停止させることは、車室内環境の快適性に影響する。本実施形態では、ブロアファン４６の作動停止により車室内環境の快適性に影響が少ない外気温の温度範囲を実験的または経験的に予め求めている。そして、車室内環境の快適性に影響が少ない外気温の温度範囲内でブロアファン４６の作動停止がなされるように予め設定される。すなわち、ブロアファン４６の作動（ブロアファン４６をオフする）制御について、車室内環境の快適性に影響が少ない外気温の温度範囲内で制御がなされる設定値として、外気温の温度範囲６２（図２では外気温Ｐ１〜Ｐ２）がメモリ２９に格納されている。
【００４９】
なお、空調制御に依存する車室内環境の快適性を考慮すると温度範囲６２内の外気温についてブロアファン４６をオフする制御を行うことが好ましいが、車室内環境の快適性についての優先順位が低いときには、温度範囲６２外の外気温でブロアファン４６をオフ制御するようにしてもよい。この車室内環境の快適性についての優先順位の設定は、予め定めておいてもよく、操作部１５による操作によって設定されるようにしてもよい。また、温度範囲６２外でブロアファン４６をオフする制御では、温度範囲６２から外れた外気温について、段階的に設定可能とすることが好ましい。例えば、温度範囲６２から温度範囲が段階的に広がるように、温度範囲６２の上限値及び下限値（図２では外気温Ｐ１とＰ２）から所定温度づつ外気温が設定されるようにする。このようにすることで、車室内環境の快適性に対する影響の度合いを段階的に設定することができる。
【００５０】
エアコンＥＣＵ１１は、この外気温の温度範囲６２内においてブロアファン４６の作動停止を制御する。このため、相関特性６０に対して予め定めた一定時間だけ短くなるオフ特性６４が、メモリ２９に記憶されている。このオフ特性６４として、相関特性６０に対して短くなる予め定めた一定時間は、車室内環境の快適性及び省動力化を両立させることを目的として、実験的または経験的に予め求めることができる。従って、外気温の温度範囲６２内において、ブロアファン４６の作動を停止させる時間ＴＣが、外気温に応じて求まるエコランが可能な時間ＴＡから予め定めた一定時間だけ短くなるオフ特性６４によって求めることができる。
【００５１】
また、エアコンＥＣＵ１１は、外気温の温度範囲６２内において外気温に応じてブロアファンを所定時間作動させつつエコラン可能時間経過後にエンジン始動要求を行う。外気温の温度範囲６２内において、ブロアファン４６の作動を停止させると、エコラン可能時間は延長される（図３参照）。そこで、外気温の温度範囲６２内では、ブロアファン４６の作動継続時間に応じて、エコランが可能な時間ＴＡ（エンジンオン閾値）が延長するように予め定めたエンジンオン特性６６が、メモリ２９に記憶されている。このエンジンオン特性６６により、外気温に応じて延長されたエコランが可能な時間ＴＢを求めることができる。
【００５２】
図３には、外気温の温度範囲６２内の任意の外気温Ｐｘにおける、時間経過に対するエバポレータ２０の温度特性を示した。エンジン停止の時間Ｔｏまで、エバポレータ２０の温度は空調制御により温度Ｅ１を維持する。この後、エバポレータ２０の温度は、エンジン停止により温度Ｅ１から徐々に上昇する特性７０となる。この特性７０では、時間ＴＡで、エバポレータ２０周辺の液体蒸発によって発臭やガラスの曇りが発生する可能性のある温度Ｅ２に到達する。従って、エバポレータ２０周辺の液体蒸発による発臭やガラスの曇りを抑制するために時間ＴＡでエンジンオンさせることで、エコラン可能時間Ｔ１であった。
【００５３】
本実施形態では、エコランが可能な時間ＴＡから予め定めた一定時間だけ短い時間ＴＣで、ブロアファン４６の作動を停止させる。ブロアファン４６の作動停止によって、エバポレータ２０の温度上昇緩和され、線形的な上昇である特性７２となる。これによって、エンジンオンするまでの時間すなわちエバポレータ２０の温度が発臭や曇りが発生する可能性のある温度Ｅ２になるまでの時間が時間ＴＢに延長される。従って、エンジンオンするまでの時間は、ブロアファン４６の作動継続によるエコラン可能時間Ｔ１から、ブロアファン４６の作動停止によるエコラン可能時間Ｔ２に延長される。
【００５４】
次に、本実施形態に係る車両用空調装置１０のエアコンＥＣＵ１１で行われる処理を説明する。図４は、本実施形態に係る車両用空調装置１０のエアコンＥＣＵ１１で実行されるエコランに関する処理の流れの一例を示すフローチャートである。
【００５５】
まず、エアコンＥＣＵ１１は、図示しないイグニッションスイッチがオンされると、処理が開始され、ステップ１００へ移行して、外気温センサ３２から外気温検出結果が取得される。次のステップ１０２では、取得された外気温に対応する時間ＴＡ，ＴＢ，ＴＣを、予め記憶されたエコランマップ（図２）を用いて算出する。まず、時間ＴＡは、外気温から、エバポレータ２０周辺の液体蒸発による発臭やガラスの曇りの発生が生じるまでの時間、すなわちエンジン停止後にブロアファンが作動継続（オン）されたときにエコランが可能な時間を算出する。また、時間ＴＣは、外気温の温度範囲６２内において、ブロアファン４６の作動を停止させる時間を算出する。さらに、時間ＴＢは、外気温に応じて時間ＴＣでブロアファン４６を停止させたときに延長されたエコランが可能な時間を算出する。
【００５６】
次に、ステップ１０４では、車両が停車中であるか否かが判定される。この判定は、エコランＥＣＵ１７がエンジンＥＣＵ１２から停車を表す信号を受信したか否かについて、エアコンＥＣＵ１１がエコランＥＣＵ１７との通信による結果から判断する。例えば、車両が停車してサイドブレーキ等が操作された場合や、車速センサの検出結果による車速が「０」の場合などのときに、車両が停車中と判断される。否定判定の場合には、以下のエコランに関する処理が不要として本処理を終了する（終了してステップ１００に戻る、または他の処理を行う）。一方、肯定判定の場合には、ステップ１０６へ移行し、エコラン許可条件が成立しているか否かが判定される。この判定は、エコランＥＣＵ１７がエンジンＥＣＵ１２からエコラン許可条件を表す信号を受信したか否かについて、エアコンＥＣＵ１１がエコランＥＣＵ１７との通信による結果から判断する。エコラン許可条件の一例としては、ブレーキ・オンでかつクラッチ・オフ等のスイッチ等の検出結果による組み合わせ値がある。ステップ１０６で否定されると本処理を終了し、肯定されると、ステップ１０８へ移行する。
【００５７】
ステップ１０８では、エンジン始動要求が無か否かが判定され、否定されると本処理を終了し、肯定された場合にはステップ１１０へ移行する。この判定は、エコランＥＣＵ１７がエンジンＥＣＵ１２へエンジン始動要求を表す信号を送信したことや、バッテリ状態に応じてエンジンＥＣＵ１２がエンジン始動指示することをエコランＥＣＵ１７が受信したこと等のようなエンジン始動要求について、エアコンＥＣＵ１１がエコランＥＣＵ１７との通信による結果から判断する。なお、このエンジン始動要求についての判定は、後述するエアコンＥＣＵ１１がエンジン始動要求を示す信号を出力する場合を含む。
【００５８】
次に、ステップ１１０では、エアコンＥＣＵ１１から、エンジン停止要求を示す信号がエコランＥＣＵ１７へ出力される。これと共に、エコランＥＣＵ１７がエンジンＥＣＵ１２を制御することによりエンジンが停止されてからの時間（エコラン時間）を計測するためのタイマが作動される。なお、このステップ１１０の時点では、ブロアファン４６の作動は停止されず、継続されている。
【００５９】
次のステップ１１２では、オートエアコンであるか否かが判定される。この判定は、コンプレッサ１４をオンさせるためのオートＡ／Ｃスイッチがオンされているか否かを操作部１５の状態から判断される。否定判定の場合にはステップ１１４へ移行する。ステップ１１２で否定された場合、乗員が意図的にオートエアコンを意図していないので、ブロアファンを停止させることなくエンジン停止を維持するように、外気温に応じて求められたブロアファン４６を作動継続させたときのエコランが可能な時間ＴＡになるまで（ステップ１１４で肯定されるまで）、エンジン停止を維持して（ステップ１３２）上記処理を繰り返す。このステップ１１４では、ステップ１１０において作動を開始したタイマ（エコラン時間）が時間ＴＡに到達したか否かによって判定される。
【００６０】
次のステップ１１６では、エンジン始動要求を示す信号がエコランＥＣＵ１７へ出力され、本処理を終了する。このステップ１１６では、エンジン始動要求がエコランＥＣＵ１７に出力されて処理を終了する。すなわち、エンジン始動要求を出力することによりエンジンを始動させてコンプレッサ１４による冷媒循環を開始させることで、発臭やガラス曇りを抑制できる。
【００６１】
このように、乗員が意図的にオートエアコンを指示しないときは、エコランが可能な時間ＴＡでエンジン始動がなされる。これにより、乗員の意図によりブロアファン４６の作動が継続された場合であっても、外気温に応じて発臭やガラスの曇りが発生するまでに、エンジン停止からエンジン始動に移行させることができ、エバポレータ２０周辺の液体蒸発による発臭やガラスの曇りの発生を阻止することができる。
【００６２】
一方、ステップ１１２で肯定判定の場合にはステップ１２０へ移行する。ステップ１２０では、オートブロアであるか否かが判定される。この判定は、ブロアファン４６が自動設定作動（オートブロア）または手動設定作動（マニュアルブロア）の何れの作動設定かを指示させるためのブロアスイッチがオートブロアに設定されているか否かを操作部１５の状態から判断する。否定判定の場合にはステップ１１４へ移行する。ステップ１２０で否定された場合、乗員が手動設定作動（マニュアルブロア）を意図しているので、ブロアファンを停止させることなくエンジン停止を維持するように時間ＴＡになるまで（ステップ１１４で肯定されるまで）、エンジン停止を維持して（ステップ１３２）上記処理を繰り返す。
【００６３】
これにより、乗員が意図的に手動設定作動（マニュアルブロア）を指示したときであっても、時間ＴＡでエンジン始動がなされ、外気温に応じて発臭やガラスの曇りが発生するまでに、エンジン停止からエンジン始動に移行させることができ、発臭やガラスの曇りの発生を阻止することができる。
【００６４】
ステップ１２０で肯定判定の場合にはステップ１２２へ移行する。ステップ１２２では、外気温がブロアファンの制御対象範囲内であるか否かが判定される。このブロアファンの制御対象範囲は、車室内環境の快適性に影響が少ない外気温の温度範囲内でブロアファン４６の作動停止がなされるように外気温の上限値及び下限値（図２の外気温Ｐ１〜Ｐ２）が設定されている。ステップ１２２で否定された場合、ブロアファンを停止させることなくエンジン停止を維持するように時間ＴＡになるまで（ステップ１１４で肯定されるまで）、エンジン停止を維持して（ステップ１３２）上記処理を繰り返す。
【００６５】
これにより、外気温がブロアファンの制御対象範囲外である場合には、後述するブロアファンの作動制御を実行しないので、車室内環境の快適性に影響を与えることを抑制することができる。
【００６６】
ステップ１２２で肯定判定の場合にはステップ１２４へ移行する。ステップ１２４では、ステップ１１０において作動を開始したタイマ（エコラン時間）が時間ＴＣに到達したか否かによって判定される。ステップ１２４で否定された場合、時間ＴＣになるまで（ステップ１２４で肯定されるまで）、ブロアファンの作動が継続されつつエンジン停止が維持されて（ステップ１３２）上記処理を繰り返す。
【００６７】
ステップ１２４で肯定判定の場合にはステップ１２６へ移行する。ステップ１２６では、タイマ（エコラン時間）が時間ＴＢに到達したか否かによって判定される。ステップ１２６で肯定された場合、ステップ１２８においてブロアファン４６が停止するように制御し、ステップ１３２へ移行する。一方、ステップ１２６で否定された場合、ステップ１３０においてブロアファン４６が作動されるように制御した後に、エンジン始動要求信号が出力される（ステップ１１６）。すなわち、時間ＴＢになるまで（ステップ１２６で肯定されるまで）、ブロアファンの作動が停止されつつエンジン停止が維持されて（ステップ１３２）上記処理を繰り返す。
【００６８】
これにより、車室内環境の快適性に影響が少ない外気温の温度範囲内でブロアファン４６の作動停止がなされる。このブロアファン停止により、エバポレータの温度上昇が緩和され、外気温に応じて求められたエコランが可能な時間は、時間ＴＡから時間ＴＢに延長される（図３）。また、車室内環境の快適性に影響が少ない外気温の温度範囲でブロアファンの作動制御を実行するので、車室内環境の快適性に影響を与えることを抑制することができる。このように、時間ＴＣでブロアファンを停止して時間ＴＢでエンジン始動がなされるので、外気温に応じて発臭やガラスの曇りが発生するまでに、エンジン停止からエンジン始動に移行させることができ、発臭やガラスの曇りの発生を阻止すると共に、車室内環境の快適性を維持させつつ、エコランが可能な時間（エンジン始動までの時間）を延長させて省動力化させることができる。
【００６９】
このように、本実施形態では、エコランＥＣＵ１７によってエンジンが停止された場合には、ブロアファン４６が作動するように制御することで、空調による車室内環境の快適性を継続させることができる。また、エンジン停止中におけるブロアファン４６の停止は、外気温に応じて、ブロアファン４６の作動継続によるエコランが可能な時間ＴＡから予め定めた一定時間だけ短い時間ＴＣでなされる。ブロアファン４６の作動停止によって、エバポレータ２０の温度上昇緩和され、エンジン始動までの時間すなわちエバポレータ２０の温度が発臭や曇りが発生する可能性のある温度になるまでの時間が時間ＴＢに延長される。従って、エンジン始動までの時間を延長させて車室内環境の快適性を維持させつつ、発臭したりガラスが曇ったりする前にコンプレッサ１４を駆動させることができ、エコランによる発臭やガラス曇りを阻止することができる。また、エコランによるエンジン始動までの時間を延長させることができるので、省動力化させることができる。
【００７０】
ところで、市街地等の信号の多い地域や、標識等による停車指示の多い地域では、信号や標識等による短時間停車等の車両走行が多くなる場合がある。
【００７１】
図５は、一例として、市街地等における信号停車時間に対する発生割合の関係を示した特性図である。図５に示すように、停車時間と発生割合の関係は、停車時間が短時間になるに従って発生割合が上昇する特性７４になる。本実施形態では、停車時間が短時間の場合では、時間ＴＡまたは所定の外気温範囲内の外気温に応じて定まるブロアファン停止の時間ＴＣまでは、ブロアファン４６は作動を継続する。従って、車両が短時間停車を繰り返してもブロアファンの作動が頻繁に切り替わることはない。このため、車室内環境の快適性を維持させることができる。
【００７２】
（第２実施形態）
次に、本発明の第２実施形態に係る車両用空調装置について説明する。本実施形態は、ブロアファン４６を停止する時間を設定可能にしたものである。なお、本実施形態は、第１実施形態と略同一の構成であるため、同一部分は同一符号を付して詳細な説明を省略する。
【００７３】
上記第１実施形態では、ブロアファン４６の作動をオフする制御として、エンジン停止からブロアファン４６の作動を継続させたときのエンジンオンするまでの時間（エコランが可能な時間ＴＡ）までの間に、ブロアファン４６の作動を停止させている。このブロアファン４６の作動をオフする制御は、エコランが可能な時間ＴＡから所定時間だけ短くなるようにしている。これにより、エンジン停止からブロアファン４６の作動を継続させることで車室内環境の快適性を維持させること、そして所定時間でその作動を停止させることで、エコランによるエンジン始動までの時間を延長させて省動力化させることの双方の利点を有している。従って、エンジン停止からブロアファン４６の作動を継続させる時間時間に応じて、車室内環境の快適性及び省動力化に影響する。
【００７４】
そこで、本実施形態では、ブロアファン４６の作動時間に依存する車室内環境の快適性及び省動力化の二律相反する性能について、ブロアファン４６を停止する時間を設定可能にすることで、選択的に指示することを可能にしている。
【００７５】
具体的には、車室内環境の快適性及び省動力化についての選択的な指示は、操作部１５による操作によって段階的に指示されたものが設定されるようにすることができる。例えば、車室内環境の快適性を優先する快適性優先モード、車室内環境の快適性及び省動力化を両立させるバランスモード（第１実施形態）、及び省動力化を優先する省動力化優先モードの３段階に設定することができる。なお、設定は、３段階に限定されるものではない。
【００７６】
すなわち、図２に示すエコランマップについて、外気温の温度範囲６２内の相関特性６０から一定時間短くなるオフ特性６４で、ブロアファン４６の作動を停止させる時間ＴＣが求まる。従って、オフ特性６４が相関特性６０に近づくに従って車室内環境の快適性が向上し、オフ特性６４が相関特性６０から遠ざかるに従って省動力化が向上する。
【００７７】
そこで、車室内環境の快適性を優先する快適性優先モードは、上記実施形態の車室内環境の快適性及び省動力化を両立させることを目的とした相関特性６０に対して一定時間だけ短くなるオフ特性６４より、相関特性６０に近づく特性を設定する。また、省動力化を優先する省動力化優先モードは、相関特性６０から遠ざかりかつオフ特性６４からも遠ざかる特性に設定する。これらの設定によるマップを、快適性優先エコランマップ及び省動力化優先エコランマップとしてメモリ２９に記憶する。
【００７８】
なお、省動力化優先モードにおいて、最も省動力化が図れるものは、エンジン停止からブロアファン４６の作動を継続させたときにエンジン始動するまでのエコランが可能な時間ＴＡと一致する時間を、上記一定時間とすることである。すなわち、エンジン停止時にブロアファン４６の作動を停止させた場合である。
【００７９】
図６には、最も省動力化を図ったときの省動力化優先モードにおいて、任意の外気温Ｐｘにおける、時間経過に対するエバポレータ２０の温度特性を示した。なお、図６では、図３において示した時間ＴＡ，ＴＢ，ＴＣを、時間ＴＡｏ，ＴＢｏ，ＴＣｏと表記している。
【００８０】
図６に示すように、エンジン停止の時間Ｔｏまで、エバポレータ２０の温度は空調制御により温度Ｅ１を維持する。このとき、エコランが可能な時間ＴＡからその時間ＴＡと一致した一定時間だけ短い時間ＴＣ、すなわち時間Ｔｏでブロアファン４６の作動を停止させる。ブロアファン４６の作動停止によって、エバポレータ２０の温度上昇緩和され、線形的な上昇である特性７６となる。これによって、エンジンオンするまでの時間すなわちエバポレータ２０の温度が発臭や曇りが発生する可能性のある温度Ｅ２になるまでの時間が時間ＴＢに延長される。従って、エンジンオンするまでの時間は、ブロアファン４６の作動継続によるエコラン可能時間Ｔ１、及びＴ２から、エコラン可能時間Ｔ３に延長される。
【００８１】
次に、本実施形態の作用を説明する。本実施形態では、図４のステップ１０２の処理において、操作部１５による操作による設定が、車室内環境の快適性及び省動力化についての選択的な指示（例えば、快適性優先モード、バランスモード（第１実施形態）、及び省動力化優先モードの何れか）に設定されたかを読み取る。そしてステップ１０２では、取得された外気温に対応する時間ＴＡ，ＴＢ，ＴＣを、指示されたモードに応じて予め記憶されたエコランマップを用いて算出する。
【００８２】
このように、本実施形態では、ブロアファン４６を停止する時間を設定可能に、例えば車室内環境の快適性及び省動力化についての選択的な指示に応じた時間を設定可能にしているので、ユーザの意図に応じて、車室内環境の快適性を優先させたり、車室内環境の快適性及び省動力化を両立させたり、省動力化を優先させたりすることができる。
【００８３】
（第３実施形態）
次に、本発明の第３実施形態に係る車両用空調装置について説明する。本実施形態は、ブロアファンの作動について風力制御を可能にしたものである。なお、本実施形態は、第１実施形態と略同一の構成であるため、同一部分は同一符号を付して詳細な説明を省略する。
【００８４】
本実施形態と、第１実施形態の相違部分は、第１実施形態ではブロアファン４６の作動をオンとオフの切替制御であったのに対し、本実施形態ではブロアファン４６の作動中に風力制御を追加している。
【００８５】
上記第１実施形態では、エンジン停止からブロアファン４６の作動を継続させ、所定時間後に後にブロアファン４６の作動を停止させている。このように、エンジン停止からブロアファン４６の作動を継続させることで車室内環境の快適性を維持させ、そして所定時間でその作動を停止させることで、エコランによるエンジン始動までの時間を延長させて省動力化させている。
【００８６】
ところで、ブロアファン４６の作動について、その風力を抑制することは、エバポレータ２０の温度上昇を緩和させることに有効である。すなわち、エンジン停止後のブロアファン４６の作動については、エンジン停止直前の風力を抑制することが効果的である。
【００８７】
そこで、本実施形態では、エンジン停止後のブロアファン４６の作動について、ブロアファン４６の風力を抑制する設定を可能にすることで、車室内環境の快適性及び省動力化を両立させることを可能にしている。すなわち、本実施形態では、車室内環境の快適性及び省動力化を両立させることが可能なブロアファン４６の風力抑制値を実験的または経験的に予め求められており、その風力抑制値がメモリ２９に格納されている。そして、エンジン停止後にブロアファン４６の作動させるとき、風力抑制値に応じた風力でブロアファン４６が作動されるようになっている。
【００８８】
なお、風力抑制値は、メモリ２９に格納された予め定めた値を用いておいてもよく、操作部１５による操作によって設定されるようにしてもよい。操作部１５による操作によって設定される風力抑制値の一例としては、ブロアファン４６の最大性能に対する１つ以上の割合（例えば０〜１００％の割合）を設定するようにしてもよい。
【００８９】
次に、本実施形態の作用を説明する。本実施形態では、図４のステップ１１０の処理において、予め定めた風力抑制値または操作部１５による操作によって設定される風力抑制値が読み取られ、その風力抑制値に応じて抑制された風力によってブロアファン４６が作動されるように制御を開始する。また、エンジン始動の直前にブロアファン４６を作動させるとき（ステップ１３０）、風力抑制値に応じて抑制された風力による制御を解除して、エンジン停止直前の風力により、ブロアファン４６が作動されるように制御を開始する。
【００９０】
図７には、風力抑制値に応じて抑制された風力によってブロアファン４６が作動される場合を含む外気温の温度範囲６２内の任意の外気温Ｐｘにおける、時間経過に対するエバポレータ２０の温度特性を示した。なお、図７では、図３において示した時間ＴＡ，ＴＢ，ＴＣを、時間ＴＡｏ，ＴＢｏ，ＴＣｏと表記している。
【００９１】
図７に示すように、エンジン停止の時間Ｔｏまで、エバポレータ２０の温度は空調制御により温度Ｅ１を維持する。この時間Ｔｏの時点で、風力抑制値に応じて抑制された風力によってブロアファン４６が作動開始される。この抑制された風力により、エバポレータ２０の温度は、エンジン停止により温度Ｅ１から徐々に上昇する特性７０から緩和された特性７８となる。この特性７８では、温度Ｅ２に到達する時間ＴＡは、図３で示した時間ＴＡｏより延長されて、エコラン可能時間Ｔ１からｔ４へ延長される。
【００９２】
また、エコランが可能な時間ＴＡから予め定めた一定時間だけ短い時間ＴＣも時間ＴＣｏから延長されてブロアファン４６が停止される。ブロアファン４６の作動停止によって、エバポレータ２０の温度上昇緩和され、線形的な上昇である特性８０となる。これによって、エンジンオンするまでの時間すなわちエバポレータ２０の温度が発臭や曇りが発生する可能性のある温度Ｅ２になるまでの時間が時間ＴＢｏから時間ＴＢに延長される。従って、エンジンオンするまでの時間は、ブロアファン４６の作動継続によるエコラン可能時間Ｔ２から、エコラン可能時間Ｔ５に延長される。
【００９３】
このように、本実施形態では、エンジン停止後のブロアファン４６の作動について、風力を抑制可能にしたので、車室内環境の快適性及び省動力化を両立させることができる。
【００９４】
また、本実施形態では、ブロアファン４６の作動について、風力を抑制可能にしたので、ブロアファン４６の作動及び停止の急激な風力の変動を抑制できる。このように、本実施形態では、抑制された風力を含む段階的な風力を乗員に提供でき、乗員に対して違和感が少ない空調を提供することができる。
【００９５】
なお、上記の各実施形態におけるエアコンＥＣＵ１１で行われる処理は、ハードウエアとしてのエアコンＥＣＵ１１が実行する処理として説明したが、コンピュータで実行可能な車両用空調制御プログラムとしてもよい。この場合には、車両用空調制御プログラムは、フレキシブルディスク、ＣＤ−ＲＯＭ、ＣＤ−Ｒ、ＤＶＤ等の各種記憶媒体に記憶して流通させるようにしてもよい。
【００９６】
また、上記の各実施形態では、エコランマップを用いてエコランが可能な時間等を算出するようにしたが、これに限るものではなく、例えば、各マップに対応する予め定めた関数から各時間を算出するようにしてもよい。
【００９７】
また、上記の各実施形態では、エンジンを駆動源として作動する機械式のコンプレッサを用いた車両用空調装置を例として説明したが、電動コンプレッサを用いた車両用空調装置を適用するようにしてもよい。電動コンプレッサの場合には、バッテリの節電等を目的として電動コンプレッサを停止させるような場合に、上記の各実施形態のエンジンの始動停止要求の代りに電動コンプレッサのオンオフ要求を行う等の制御を行うことにより、節電とガラス曇り防止の両立が可能となる。
【００９８】
また、上記の各実施形態では、モード切換ダンパ用モータ２４、吹出し口切換ダンパ用モータ３４、及びエアミックスダンパ用モータ３６等を備えて、モード切換、吹出し口切換、温度調整等を自動で行う例を説明したが、これらは省略して手動で各種切換を行う車両用空調装置を適用するようにしてもよい。さらに、日射センサや内気温センサ３０についても省略して手動で温度調整を行う車両用空調装置を適用するようにしてもよい。
【符号の説明】
【００９９】
１０    車両用空調装置
１１    エアコンＥＣＵ
１２    エンジンＥＣＵ
１４    コンプレッサ
１７    エコランＥＣＵ
２０    エバポレータ
２９    メモリ
３２    外気温センサ
【図１】
0005607576.tif 000002
【図２】
0005607576.tif 000003
【図３】
0005607576.tif 000004
【図４】
0005607576.tif 000005
【図５】
0005607576.tif 000006
【図６】
0005607576.tif 000007
【図７】
0005607576.tif 000008